(57)【要約】【課題】下地シート２に形成される貫通孔７の数を抑制しつつ、熟練を要することなく簡単かつ正確に瓦４を葺く。【解決手段】屋根の野地板１に、下地シート２を介して軒と平行に所定間隔で横桟３を取り付けた後、瓦４を葺く。前記横桟３は、長手方向に沿って形成された弾性を有する対向壁６を備えたものとする。前記瓦４に、前記対向壁６間に保持される突部１０を形成する。【選択図】　図１
2004068281.tif 000002
【特許請求の範囲】
【請求項１】
屋根の野地板に、下地シートを介して軒と平行に所定間隔で横桟を取り付けた後、瓦を葺くようにした瓦の施工構造において、
前記横桟は、長手方向に沿って形成された弾性を有する対向壁を備え、
前記瓦に、前記対向壁間に保持される突部を形成したことを特徴とする瓦の施工構造。
【請求項２】
前記横桟は、瓦の隙間から下地シート上に流入した液体を軒側へと流下可能とする流動通路を備えたことを特徴とする請求項１に記載の瓦の施工構造。
【請求項３】
前記横桟は、耐食性に優れた材料からなることを特徴とする請求項１又は２に記載の瓦の施工構造。
【請求項４】
前記野地板に、下地シートを介して袖と平行に所定間隔で縦桟を取り付け、該縦桟に前記横桟を保持する保持部を形成したことを特徴とする請求項１ないし３のいずれか１項に記載の瓦の施工構造。
【発明の詳細な説明】
【０００１】
【発明の属する技術分野】
本発明は、瓦の施工構造に関するものである。
【０００２】
【従来の技術】
一般に、引掛け桟工法により屋根に瓦を葺く場合、野地板を防水用の下地シートで覆い、軒と平行に所定間隔で横桟を取り付け、横桟に直接瓦を固定するようにしている。
【０００３】
従来、このような引掛け桟工法として、例えば、特開平９−１３７５５６号公報に開示される構造が公知である。この構造によれば、横桟に長手方向に延びる凹部溝を形成し、この凹部溝に瓦に形成した係止突起を係止することにより強風にも耐えることが可能となっている。
【０００４】
【発明が解決しようとする課題】
しかしながら、前記従来の施工構造では、横桟への瓦の固定は、釘やネジ等により行っている。釘等は、横桟から下地シートを貫通し、野地板まで延びることにより、野地板に横桟を固定する。このため、瓦を葺く枚数分に応じた数だけ、釘等によって下地シートに貫通孔が形成されることになる。したがって、瓦から下地シート上に流入した雨水が、前記貫通孔を介して野地板側にまで至り、雨漏り等の原因となる。特に、釘で固定する場合、釘を打ち込み過ぎると、瓦が割れる恐れがあり、打ち込み足りないと、次の棟側に葺く瓦が浮き上がるという問題があり、作業者は熟練を要する。また、各瓦は傾き等がないように整列させて葺く必要があるが、釘等で固定する方法では、ずれて固定された場合の修正が非常に困難である。
【０００５】
そこで、本発明は、下地シートに形成される貫通孔の数を抑制しつつ、熟練を要することなく簡単かつ正確に瓦を葺くことのできる瓦の施工構造を提供することを課題とする。
【０００６】
【課題を解決するための手段】
本発明は、前記課題を解決するための手段として、屋根の野地板に、下地シートを介して軒と平行に所定間隔で横桟を取り付けた後、瓦を葺くようにした瓦の施工構造において、
前記横桟は、長手方向に沿って形成された弾性を有する対向壁を備え、
前記瓦に、前記対向壁間に保持される突部を形成したものである。
【０００７】
この構成により、所定位置に取り付けた横桟の対向壁間に、瓦の突部を圧入するだけで、瓦を葺くことができる。横桟に対して瓦が傾斜して取り付けられたとしても、対向壁に沿って突部を移動させれば、簡単に瓦の傾斜を取り除くことが可能となる。
【０００８】
前記横桟は、瓦の隙間から下地シート上に流入した液体を軒側へと流下可能とする流動通路を備えると、瓦の隙間から流入した雨水等を流動通路を介して軒側へと流下させることができる点で好ましい。
【０００９】
前記横桟は、耐食性に優れた材料で構成すると、瓦の隙間から雨水等が流入しても、横桟が腐食するといった不具合が発生することがなくなる点で好ましい。
【００１０】
前記野地板に、下地シートを介して袖と平行に所定間隔で縦桟を取り付け、該縦桟に前記横桟を保持する保持部を形成すると、横桟の固定に釘等が不要となり、下地シートに形成される貫通孔をなくすことができる点で好ましい。
【００１１】
【発明の実施の形態】
以下、本発明に係る実施形態を添付図面に従って説明する。
【００１２】
図１は、本実施形態に係る瓦４の施工構造を示す。この施工構造は、屋根の野地板１に下地シート２を介して取り付けられる横桟３と、この横桟３に取り付けられる瓦４とに特徴を有する。
【００１３】
横桟３は、耐食性に優れた材料（例えば、塩化ビニール等のオレフィン系の合成樹脂材料やステンレス等の金属材料）からなり、長尺な底板部５と、その両側縁部から立設した対向壁６とで構成されている。底板部５には所定ピッチで貫通孔７が形成され、野地板１に固定するための釘やネジ等の固定部材１５（図２ではネジを図示）が挿通される。また、底板部５には、幅方向に流動通路８（ここでは、底面幅方向に延びる断面円弧状の溝）が形成されている。対向壁６は底板部５から離間するに従って互いに接近するように傾斜しており、その先端縁には係止爪９が形成されている。対向壁６は弾性を有し、係止爪９を接離可能とする。
【００１４】
瓦４は、粘土をプレス成形した後、焼成することにより得られ、平板状で、一端縁部の２箇所には突部１０が形成されている。プレス成形は、粘土を平板状とすると共に、突部１０を突出させる第１成形加工と、突部１０の先端に爪部１１を形成するための第２成形加工とで行われる。第１成形加工では、突部１０を形成するために、上面側にＶ溝１２が形成される。第２成形加工では、突部１０を両側から挟み込み、先端縁部に前記横桟３の係止爪９に係止可能な爪部１１を形成する。爪部１１は、図２に示すように、先端に向かうに従って徐々に幅寸法が小さくなる傾斜部１３の先端の幅狭部１４に設けられる円盤状のもので、先端面外縁には丸面によって面取りがされている。
【００１５】
次に、前記施工構造による施工内容について説明する。
【００１６】
野地板１の表面を下地シート２で覆い、軒に対して所定間隔で横桟３を固定部材１５で野地板１に固定する。そして、瓦４を軒側から順に施工する。瓦４の施工では、突部１０を横桟３の対向壁６の上端縁に当接させて位置合わせした状態で、踏み付ける等により、瓦４の突部１０に形成した爪部１１を横桟３の係止爪９に係止する。したがって、簡単に取り付けることができる。しかも、釘等を必要としないため、下地シート２に穴を開けることがなく、所望の防水性能を得ることが可能である。また、横桟３に対して瓦４が位置ズレして取り付けられた場合であっても、瓦４の側縁を叩いて横桟３の対向壁６によって形成される溝部に沿って容易に位置を調整することができる。したがって、熟練を要することなく、簡単かつ正確に瓦４を葺くことが可能となる。
【００１７】
このようにして施工された瓦４では、瓦４の間から雨水等が侵入したとしても、下地シート２には殆ど貫通孔が形成されていないため、横桟３に形成した流動通路８を介して軒側へと流下し、野地板１に至ることがない。
【００１８】
なお、前記実施形態では、横桟３を野地板１に直接固定部材１５によって固定するようにしたが、横桟３を保持可能な縦桟を設けて固定部材１５を不要としてもよい。すなわち、図３に示すように、軒と棟とを結ぶ縦桟２０を設け、下地シート２に貫通孔７を形成しないように、軒及び棟でそれぞれ固定する。縦桟２０には、軒と平行に所定ピッチで横桟３を保持するための保持部２１を形成し、この保持部２１に横桟３を保持する。この構成により、下地シート２には貫通孔が形成されなくなり、下地シート２による防水性を確保することが可能となる。また、横桟３と下地シート２との間には縦桟２０による隙間が形成されるので、流動通路８は不要である。
【００１９】
また、前記実施形態では、瓦４に突部１０を２箇所に形成するようにしたが、１箇所あるいは３箇所以上であってもよく、瓦４の上縁部の全領域に亘って形成するようにしてもよい。
【００２０】
【発明の効果】
以上の説明から明らかなように、本発明によれば、横桟の対向壁間に瓦に形成した突部を弾性支持するようにしたので、瓦を簡単に取り付けることができ、取り付け後の幅方向の位置ずれを簡単に微調整することが可能となる。つまり、簡単かつ安価な構造であるにも拘わらず、熟練を要することなく、容易かつ正確に施工することができる。
【図面の簡単な説明】
【図１】本実施形態に係る施工構造を示す瓦を葺く前の状態を示す斜視図である。
【図２】瓦を葺いた状態を示す部分断面図である。
【図３】他の実施形態に係る瓦の施工構造を示す斜視図である。
【符号の説明】
１…野地板
２…下地シート
３…横桟
４…瓦
５…底板部
６…対向壁
７…貫通孔
８…流動通路
９…係止爪
１０…突部
１１…爪部
１２…Ｖ溝
１３…傾斜部
１４…幅狭部
１５…固定部材
【図１】
2004068281.tif 000003
【図２】
2004068281.tif 000004
【図３】
2004068281.tif 000005